(57)【要約】４色以上、好ましくは６色以上の着色材料の組合せ物を含むカラー印刷システムであって、それぞれが異なる色であり、これらの色を（１）オレンジ−レッド；（２）バイオレット−レッド；（３）バイオレット−ブルー；（４）グリーン−ブルー；（５）グリーン−イエロー；及び（６）オレンジ−イエロー並びにホワイト及びブラックから選択する。このシステムを、広範囲の印刷装置に組込むことができ、そして広範囲の色を達成する手段を提供する。【特許請求の範囲】
【請求項１】
４色以上の着色材料の組合せ物であって、それぞれは異なる色であり、該４色のうち３色以上を；
１．バイオレット−レッド；
２．オレンジ−レッド；
３．バイオレット−ブルー；
４．グリーン−ブルー；
５．グリーン−イエロー；及び
６．オレンジ−イエロー、
から選択するものを含み、該組合せ物は、シアン、マゼンタ、イエロー及びブラックの組合せ物以外であることを条件とするカラー印刷システム。
【請求項２】
６色の着色材料の組合せ物であって、それぞれが異なる色であり、該６色のうち５色以上を；
（１）オレンジ−レッド；
（２）バイオレット−レッド；
（３）バイオレット−ブルー；
（４）グリーン−ブルー；
（５）グリーン−イエロー；及び
（６）オレンジ−イエロー、
から選択するものを含むカラー印刷システム。
【請求項３】
（１）〜（６）の該色の６色全ての着色材料を含む、請求項２に記載のカラー印刷システム。
【請求項４】
該６色のうち５色の着色材料を含み、そして当該第６番目の着色材料がブラック又はホワイトである、請求項２に記載のカラー印刷システム。
【請求項５】
該第６番目の着色材料がブラックである、請求項４に記載のカラー印刷システム。
【請求項６】
該６色のうち５色の着色材料を含み、該着色材料のうち１種が色（３）であり、かつ該第６番目の着色材料が暗いオレンジである、請求項２に記載のカラー印刷システム。
【請求項７】
それぞれの該着色材料が、インク、染料、トナー又は顔料である、請求項１〜６のいずれか一項に記載のカラー印刷システム。
【請求項８】
それぞれの該着色材料が、着色印刷インクである、請求項６に記載のカラー印刷システム。
【請求項９】
該着色印刷インクがオフセット印刷インクである、請求項８に記載のカラー印刷システム。
【請求項１０】
それぞれの部分が異なる色の着色材料を含む６部分の容器であって、該色が、請求項１〜７のいずれか一項に規定される６部分の容器。
【請求項１１】
モジュール式である、請求項１０に記載の６部分の容器。
【請求項１２】
カラー印刷物を作成する方法であって、該方法が、基材上に所望のデザイン及び色を作成するような混合物及び様式で、請求項１〜９のいずれか一項に記載のカラー印刷システムの着色材料を印刷することを含む方法。
【請求項１３】
該カラー印刷システムが、請求項２〜６のいずれか一項に記載の６色システムである、請求項１２に記載の方法。
【請求項１４】
４種の異なるインク類の組合せ物を用いる印刷物の作成方法であって、該方法が、印刷される書類をスキャンすること、上記（１）〜（６）として列挙される該色並びにブラック又はホワイトの中から４色の当該作業を実施するために最適な選択をすること、そして一般的な２色又は４色の印刷機内で、これら４色を用いることを含む印刷物の作成方法。
【請求項１５】
デジタル印刷プロセス、オフセット印刷プロセス、スクリーン印刷プロセス又はカラーコピー機プロセスを含む、請求項１２〜１４のいずれか一項に記載の方法。
【請求項１６】
予備段階において、イメージを電子的にスキャンし、そしてプリンターを、該カラー印刷システムを用いて該イメージを再現するようにプログラムする、請求項１２〜１５のいずれか一項に記載の方法。
【請求項１７】
請求項１４に記載の方法に用いるために選択された着色材料の組合せ物であって、該組合せ物が、上記請求項１に記載の上記（１）〜（６）として列挙される該色を３色以上（好適には４色）含み、該組合せ物が、シアン、マゼンタ、イエロー及びブラックの組合せ物以外である、着色材料の組合せ物。
【請求項１８】
上記（１）〜（６）として列挙される該色のうち３色以上と、ホワイト又はブラックとを含む、請求項１７に記載の組合せ物。
【請求項１９】
上記（１）〜（６）として列挙される該色の４色の選択物を含む、請求項１７に記載の組合せ物。
【請求項２０】
所望の色を作成するために、該プリンターを、個々の着色材料を混合するようにプログラムし、請求項１〜７のいずれか一項に記載のカラー印刷システム又は請求項１４〜１６のいずれか一項に記載の組合せ物を組込む印刷装置。
【請求項２１】
デジタルプリンター、及びオフセット印刷機又はカラーコピー機である、請求項２０に記載のプリンター。
【請求項２２】
カラープリンター用のプリンターカートリッジであって、該カートリッジは６種のインクの区画を含み、それぞれの区画は異なる色の着色材料を含み、該着色材料は、請求項２〜９のいずれか一項に記載のカラー印刷システムを含むカラープリンター用のプリンターカートリッジ。
【請求項２３】
一組の６枚のオフセット印刷版であって、それぞれの版はそれらの上に異なるカラー印刷インクを有し、該色は請求項２〜６のいずれか一項に規定される色から選択される、一組の６枚のオフセット印刷版。
【請求項２４】
シングルパスで７色を供給することができるプリンター。
【請求項２５】
請求項２に記載のカラーリングシステム、及びさらにブラック着色材料を、プリンター内に搭載している、請求項２４に記載のプリンター。
【請求項２６】
添付の図面に関して、本明細書に実質的に記述されているカラー印刷システム。
【発明の詳細な説明】
【技術分野】
【０００１】
本発明は、カラー印刷システム並びに印刷システムに有用な要素及び装置類に関する。
【背景技術】
【０００２】
一般的に、カラー印刷は、レッド、ブルー及びイエローのいわゆる「減法３原色」に基づいている。それらが「減法３原色」として知られているのは、それらの原色を混合すると、その割合に応じて、それらの色がより暗くなり、光を吸収するか又は減ずるからである。
【０００３】
Ｊ．Ｃ．Ｌｅ  Ｂｌｏｎが、最も早く、カラー印刷にレッド、イエロー、ブルー理論を適用した。実は、彼が「３原色系」を発明し、当該理論は、現在においても広く使用されている。彼は、１８世紀の前半には、レッド、イエロー、ブルー理論をファインカラー印刷類の作成、印刷に適用していた。
細部の大部分は、最初にブルーの版で印刷され、次にイエロー、レッドが続き、最後にブラックの版で印刷される。
１７２３年に出版された彼の著作「Ｃｏｌｏｒｉｔｔｏ」の初版には、基本的な印刷インク及び見当を合わせた版からのマルチカラーメゾチント印刷の使用及び製品が、記述されている。
【０００４】
Ｌｅ  Ｂｌｏｎによって改良されたマイナーな調整のみを伴ったアプローチが、現在も続いている。使用する「３原色」は、マゼンタ（レッド）、シアン（ブルー）及びミッド（ｍｉｄ）イエローである。ブラックはまた、細部を加え、そして外観の輪郭を描くために用いられる。該４色の使用（ブラックも色である）は、「４色プロセス印刷」として知られている。
「３原色系」にブラックを加えて使用することは、デスクトップコンピュータから大規模商業印刷所まで、印刷産業全体の標準となっている。
【発明の開示】
【発明が解決しようとする課題】
【０００５】
しかし、広範囲のカラーを再現すべき場合、厳格な制限に出会うこととなる。
Ｄｅｓｉｇｎ  Ａｒｔ  Ｌｉｍｉｔｅｄ、ａ  Ｎｅｗ  Ｙｏｒｋ  ｂａｓｅｄ  ｓｈｅｅｔｅｄ及び美術品の再現に特化したウェブプリンターの創設者であるＭｒ．Ａ．Ｐｏｒｎｉに従うと「多くの明るい色、鮮やかな色及びリッチカラーは、４色プロセス中では厳密に再現されない。うすい、クリーンな、ライムグリーン類、オレンジ類、ピンク類及びラベンダー類は、わずかに品質が低下するか、又は「濁って（ｄｉｒｔｙ）」再現される傾向がある。プロセスインク類のほのかなカラー（ｔｉｎｔ）の組合せから作られる場合、リッチな、深いウルトラマリーンブルー類及びマルーンレッド及びパープル類は、クリアーな半透明性及びリッチ性に欠けることとなる」。
【０００６】
多くのグラフィックアーティスト達及び芸術家達は、なぜ彼らの作品が、いずれの一般的印刷形態でも十分に再現することができないのか、不思議に思っている。
１８世紀のＬｅ  Ｂｌｏｎの著作以来ずっと、原色群（レッド、イエロー及びブルー）を混合して、「新しい」色を作り出すことが、一般的に受け入れられてきた。
ブルー及びイエローは、グリーンを「作り」、レッド及びイエローが、オレンジを「作り」、そしてブルー及びレッドは、バイオレットを「作る」。この信念は普遍的であり、印刷業者、芸術家、クラフトワーカー及び関心を持って又は生計のため色を混合する者全てが、当該信念に従っている。
【０００７】
「より純粋」な原色が、混合できる範囲を広げることに基づいて、「より純粋」な原色が探索され、完全に純粋な種類のレッド、イエロー及びブルーによるフルカラー混合及び印刷が可能となった。マゼンタ、及び中間強度（ｉｎｔｅｎｓｉｔｙ）のイエローは、可能な限り純粋な原色に近いと感じられている。
【０００８】
特に一定の専門的な作業に関して、追加のインク類を４色のプロセスカラー群に追加することができる。「Ｐａｎｔｏｎｅ  Ｉｎｃ」等の企業によって製造された事前混合カラー群を、オフセット印刷等の間、４色のプロセスカラー群に添加し、特定の色合いを再現することができる。しかし、当該プロセスは経済的に不利であり、明度、さらなる明暗度（ｖａｌｕｅ）又は強度に関して、それほど上乗せしない。上記カラー群を包含することによって、見当合わせの問題が生じることもある。
一定のデジタルプリンター類（デスクトッププリンター類等）も、現在は６色で作動し、その６色とは；マゼンタ、ライトマゼンタ、シアン、ライトシアン、イエロー及びブラックである。バイオレット−レッド及びグリーン−ブルー範囲内で、格別の美しさを利用でき、そして混合することができるが、すでに、該制限が残ることが指摘されている。
【０００９】
実は、異なる６色のインクを供給する設備は、全ての印刷形態の中で広く利用可能である。オフセット印刷の場合、この設備が、適用される印刷ワニス類又は追加の専門的な色（作業に応じて絶えず変わる）を準備するために「組み込まれて」いる。
そのような追加色又は印刷ワニスを適用する場合、４色プロセス印刷中で用いられる該４色（マゼンタ、シアン、イエロー及びブラック）を、１色又は２色の事前混合色（Ｐａｎｔｏｎｅ  Ｉｎｃ等の会社から供給される）と適用するのが、一般的な状況である。あるいは、１色の事前混合色及び印刷ワニスを適用することもできる。
【００１０】
しかし、上記装置類は、４色印刷プロセスのマゼンタ、シアン、イエロー及びブラックを適用するためのみに用いられ、他の２つの印刷ヘッドは、特別に要求されるまで作動しない場合が典型的である。
デジタルプリンター類の場合、異なる６色を印刷する能力そのものは、かなり一般的であるといえるが、選択される当該カラー群は、カラー混合プロセスの現行の理解に基づいている。したがって、達成できるカラー群の範囲が、限られている。
【００１１】
現在の「４色プロセス印刷」システム及びその変形類は、それが及ぶ範囲に関する限り、確かに大部分は作動しているといえる。
実は、「原色群」は、一般の理解にかかわることに関する限り存在しない。すべてのカラー群は、スペクトル全体の要素を反射する。例えば、すべてのレッドは、一定量のレッド、オレンジ、イエロー、グリーン、ブルー及びバイオレットを、様々な程度で反射する。（この目的を明確にするために、通常スペクトルと関連する主要な６色のスペクトル（レッド、オレンジ、グリーン、ブルー、イエロー及びバイオレット）を、そのもっとも簡潔な形態で本明細書に記述する。）
【００１２】
純粋な「原色」のカラー群が存在する場合、当該原色群は、カラー混合にほとんど使えない。というのは、当該原色群は、常にくすんだ中間色のカラー範囲（グレー類及びブラック）を生成できるのみだからである。例えば、純粋なレッド及び純粋なブルーは、混合されると、単にお互いの光を吸収し、ブラックの方向に導かれるであろう。
本出願人は、達成できるカラー群の領域を拡張する印刷システムを発明した。
【課題を解決するための手段】
【００１３】
本発明に従って、４色以上の着色材料の組合せ物（それぞれは異なるカラーである）を含むカラー印刷システムであって、当該４色のうち３色以上を；
１．バイオレット−レッド；
２．オレンジ−レッド；
３．バイオレット−ブルー；
４．グリーン−ブルー；
５．グリーン−イエロー；及び
６．オレンジ−イエロー、
から選択するものを含むカラー印刷システムを提供し、当該組合せ物は、シアン、マゼンタ、イエロー及びブラックの組合せ物以外であることを条件とする。
【００１４】
態様によっては、本発明は、６色の着色材料の組合せ物（それぞれは異なるカラーである）を含むカラー印刷システムであって、当該６色のうち５色以上を；
１．バイオレット−レッド；
２．オレンジ−レッド；
３．バイオレット−ブルー；
４．グリーン−ブルー；
５．グリーン−イエロー；及び
６．オレンジ−イエロー、
から選択するものを含むカラー印刷システムを提供することが好ましい。
【００１５】
上記列挙の６色は、広い範囲の混合を可能とするようにそれらの「傾き」又は「傾向」において選択されてきている。
この６色のタイプは、オレンジ、グリーン及びバイオレットの「派生」カラー群に向かうか、又は離れるそれらの傾向によって規定される。
本明細書で用いる場合、表現「オレンジ−レッド」は、分光的に分析した場合に、「量」又は強度の順で、レッド、次いでオレンジ、次いでバイオレットを反射する色を指す。それぞれの色の相対的な量又は強度を、特定の色によって占められる反射率（％）対波長のグラフの下で、その領域を比較することによって決定できる。
【００１６】
同様に、表現「バイオレット−レッド」は、分光的に分析した場合に、「量」又は強度の順で、レッド、次いでバイオレット、次いでオレンジを反射する色を指す。
表現「バイオレット−ブルー」は、分光的に分析した場合に、「量」又は強度の順で、ブルー、次いでバイオレット、次いでグリーンを反射する色を指す。
【００１７】
表現「グリーン−ブルー」は、分光的に分析した場合、「量」又は強度の順で、ブルー、次いでグリーン、次いでバイオレットを反射する色を指す。
表現「グリーン−イエロー」は、分光的に分析した場合、「量」又は強度の順で、イエロー、次いでグリーン、次いでオレンジを反射する色を指す。
【００１８】
表現「オレンジ−イエロー」は、分光的に分析した場合、「量」又は強度の順で、イエロー、次いでオレンジ、次いでグリーンを反射する色を指す。
上述の１〜６のそれぞれの色由来のスペクトル例が、本明細書に添付の図１に示されている。図１Ａは、オレンジ−レッドを表し、図１Ｂはバイオレット−レッドを表し、図１Ｃはグリーン−ブルーを表し、図１Ｄはバイオレット−ブルーを表し、図１Ｅはオレンジ−イエローを表し、そして図１Ｆはグリーン−イエローを表す。実は、全ての色は、全ての色のスペクトルを、ある程度反射することができる。例えば、あらゆるレッドは、一定量のレッド、オレンジ、イエロー、グリーン、ブルー及びバイオレットを反射する。しかし、上記列挙の色に関して特に言及される色以外の色は、色混合にほとんど関係していないことが見出された。
【００１９】
本発明の印刷システムは、上記（１）〜（６）として列挙の６色全てを含むことが好ましい。当該６色の選択は、印刷カラー群の最大の可能な領域を与えることができる。しかし、必要に応じてこれらの色の中から選択することができ、そしてこの選択は、３色又は４色を含むことができ、ブラック又はホワイトと組合せることができる。
当該色を同時に適用することが好ましく、例えば、６色印刷システムを用いて、この広い色の領域を、１回の印刷パスで達成することができる。このことは、多くの美術品及び高品質書籍類等に関して、特に好適である。
【００２０】
本発明のシステムを作り上げる着色材料は、インク類、染料類、トナー類、顔料類、着色料類等の印刷業界で公知の任意の着色媒体であることができる。特に、本発明のシステムを作るこれらの着色材料は、着色印刷インク類、そして特に、布帛類等へのスクリーン印刷又はオフセット印刷用のインク類であることができる。
【００２１】
本発明のシステムを作る好適な着色材料類を、例えば６つの部分の容器（それぞれの部分に１色の着色材料）中で共に適用する。そのような容器類は、本発明のさらなる態様を形成する。それらは、事実上のモジュール式であってもよく、例えば、それぞれが３つの部分を備える２つのモジュールを含むか、又はそれぞれが２つの部分を備える３つのモジュールを含む。他の組合せも可能である。これは、一又は他の色を使い切ってしまった場合、色を補充するための順応性の高さを付与するものである。当該モジュール類を、印刷装置内に組合せるために、適合させることが好適である。
本発明のシステムは、デジタル、一般的なオフセット若しくはスクリーン印刷又は任意の他の一般的なカラー印刷形態、並びにカラーコピー機類を含む全てのカラー印刷形態に適用できる。
【００２２】
このように、さらなる態様では、本発明は、カラープリントを作成する方法を提供し、該方法は、上述のようなカラー印刷システムの基材、着色材料を含む（それらの上に所望のデザイン又は色を作成するような様式又は混合物中で）。好適な基材類は、紙、キャンバス等の布帛、プラスチック類、木材、金属等を含み、印刷業界で一般的なものである。
一般的に、これらの基材類は紙又は布帛を含むことができる。
【００２３】
高品質の成果を得るため、本発明のフルカラーシステムを用いる。しかし、４色又はさらに２色印刷機のみが利用できる場合、このことは好都合ではない。
この場合において、４色又は２色印刷機又はシステムが、唯一の利用可能なシステムである場合、４色又は２色印刷機又はシステム内で本発明を利用することによって、高画質の印刷物を作成することが可能であろう。この場合では、６色の中から選択することが必要であり、それらの多くは、特定の印刷作業にとって適切なものである。
【００２４】
印刷される書類をはじめにスキャンし、その結果に基づいて、色を選択することができる。一部の作業であれば、シアン（グリーン−ブルー）、マゼンタ（バイオレット−レッド）、イエロー及びブラックを用いる現在の配合は、最適であるかもしれない。しかし、多くの場合では、別の配合によって、さらに良質な成果を生じさせることができ、そしてこの中で、色選択は、本発明のシステムの３色以上である場合があり、そして該色のうち４色であることが好ましいが、一部の場合では、ブラック又はまさにホワイトが、第４の色として最適な選択肢であるかもしれない。
【００２５】
例として、鮮やかなバイオレット類が必要である作業において、一般的なシステムのシアンをバイオレット−ブルーに変更させることができる。鮮やかなオレンジ類が必要な場合、オレンジ−レッドをマゼンタ（バイオレット−レッド）の代わりに用いることができ、そして用いるイエローを、オレンジ−イエローとすることができる。
【００２６】
６種の色合いを置き換えることは簡単であり、そしてカラーマネジメント要素に費やす時間を、劇的に減少させることができる。違う作業（他の配合を必要とする）を始めるためにこの装置を用いない限り、遅れはなく、洗浄等に費やすさらなる時間は必要ないであろう。
該装置を他の作業にすぐに用いる場合には、恐らく６個のユニットのうちたった１個か２個を洗浄し、色交換すればよいであろう。
【００２７】
２色のみの印刷機が利用可能である場合、本発明のこの形態は、これらの書類を、当該印刷機を介して２パスで適用することで利用することができる。１回目は選択色を用いて印刷し、２回目は他の２色、又は３回目に、ホワイト若しくはブラックを用いて印刷する。
【００２８】
このように、さらなる態様において、本発明は、４色の異なるインク類の組合せを用いて印刷物を作成するための方法を提供し、本方法は、印刷される書類をスキャニングすることと、この作業を実施するために上記の（１）〜（６）として列挙される色の中から４色並びにブラック又はホワイトの最適な選択物を決定することと、一般的な２色又は４色印刷機内でこれらの４色を用いることとを含む。
一般的に、該選択は、ホワイト又はブラックに加え、上記（１）〜（６）として列挙される色のうち３色以上を含むことができ、好ましくは、上記（１）〜（６）として列挙される色のうち４色の組合せ物を含むことができる。
【００２９】
さらなる態様において、本方法に用いるために選択された着色材料の組合せ物を提供し、当該組合せ物は、３色以上を含み、そして上記（１）〜（６）として列挙される該カラー群のうち４色を含むことが好適である。ただし、当該組合せ物が、シアン、マゼンタ、イエロー及びブラックの組合せ物以外であることが条件である。
本発明のシステム内で用いる６色のカラータイプを、本明細書に添付の図２内で具体的に説明する。図２は、「カラーバイアスホイール」として知られている。これらの６色のカラータイプは、矢印の形で示され、それらの種々の傾向を表示している。
【００３０】
カラータイプが、第２のカラーの方を向いている場合、それは、当該第２のカラーの反射物として有効であることを示している。一般論として、適切に混合すると、当該ケースは、高強度又は多「量」の該特定の第２のカラーを「残す」ことができる。
【００３１】
逆に、「カラータイプ」が、第２のカラーから離れている場合、当該第２のカラーの「反射物」として有効でないことを示している。従って、適切に混合すると、当該ケースは、低「強度」又は少「量」の該特定の第２の色を残すことができることとなる。従って、該カラーバイアスホイールを考慮することによって、色を適切に混合して、ターゲット色を得ることができる。
【００３２】
例えば、該カラーバイアスホイールを参照して、鮮やかなバイオレットとして混合する場合、「バイオレット−レッド」は、用いるのに理想的なレッドであり、この混合プロセスの間で、レッド、イエロー、グリーン、ブルー及びオレンジ要素が吸収された後に、強烈なバイオレット要素が残るであろう。
【００３３】
同一の「バイオレット−レッド」はまた、くすんだ、グレー化オレンジを混合する場合に用いるカラータイプでもある。それは、適切に混合すると、当該バイオレット−レッドは、その弱いオレンジ「要素」を「残す」ことができるからである。
該６種のカラータイプを適切に混合する場合に、予測することができる成果を示すため、次の事項によって、それらの作用を記述することができる：
１．バイオレット−レッド
バイオレット−レッドは、レッド、次いでバイオレット、次いでオレンジを反射する。したがって、鮮やかなバイオレット類、及びくすんだオレンジ類、並びにレッド類を作成するために特に有用である。
【００３４】
本発明のシステムに用いるためのバイオレット−レッドの着色材料を作成するために用いることができる顔料類又は染料類の典型的な例には、Ｐｉｇｍｅｎｔ  Ｖｉｏｌｅｔ  １９（キナクリドンバイオレット）、マゼンタ、並びに顔料類（ＰＲ２  ＣＩＮ１２３１０、ＰＲ５  ＣＩＮ１２４９０、ＰＲ７  ＣＩＮ１２４２０、ＰＲ２３  ＣＩＮ１２３５５、ＰＲ４８：４  ＣＩＮ１５８６５：４、及びＰＲ１２２  ＣＩＮ１２３７０で表される）が含まれる。Ｐｉｇｍｅｎｔ  Ｖｉｏｌｅｔ  １９は、透明な、非常に濃い顔料であり、高いバイオレット含量を有する。マゼンタは、Ｐｉｇｍｅｎｔ  Ｖｉｏｌｅｔ  １９よりもバイオレット性に欠けるが、すでに充分に確立されており、非常に鮮やかなバイオレット類を必要としない作業の全てに対して好適であろう。
【００３５】
省略形「ＣＩＮ」は、カラーインデックス番号を指し、当業者に認められているものである。
【００３６】
２．オレンジ−レッド
オレンジ−レッドは、レッドを反射し、次いでオレンジ、次いでバイオレットを反射する。従って、鮮やかなオレンジ類及びくすんだバイオレット類を作成するのに有用である。
本発明のシステム内で用いるためのオレンジ−レッドの着色材料類（インク類等）を、Ｐｉｇｍｅｎｔ  Ｒｅｄ  １０８（カドミウムレッドライト）等を用いて作成することができる。これは、透明ではないが、希釈して透明性をシミュレートすることができる。当該顔料は、耐光性があり、高いオレンジ含量である。他の可能な顔料類には、ＰＲ４  ＣＩＮ１２０８５−ＰＲ６  ＣＩＮ１２０９０、ＰＲ９  ＣＩＮ１２４６０−ＰＲ４８：１  ＣＩＮ１５８６５：１、及びＰＲ１１２  ＣＩＮ１２３７０−ＰＲ  １８８  ＣＩＮ１２４６７が含まれる。
【００３７】
３．バイオレット−ブルー
バイオレット−ブルーは、ブルーを反射し、次いでバイオレット、次いでグリーンを反射するので、バイオレット類及びくすんだグリーン類を作成するのに有用である。本発明中で用いるのに典型的なバイオレット−ブルーの着色材料は、Ｐｉｇｍｅｎｔ  Ｂｌｕｅ  ２９（ウルトラマリーンブルー）並びにＰＢ１  ＣＩＮ４２５９５：２であり、それらは透明で、非常に濃く（ｉｎｔｅｎｓｅ）、そして高いバイオレット含量を有する。
【００３８】
４．グリーン−ブルー
グリーン−ブルーは、ブルーを反射し、次いでグリーン、次いでバイオレットを反射するので、鮮やかなグリーン類及びくすんだバイオレット類の混合において、重要であることができる。
Ｐｉｇｍｅｎｔ  Ｂｌｕｅ  １５（フタロシアニンブルー）は、透明で、非常に濃く、そして高いグリーン含量を有し、本発明の印刷システムのグリーン−ブルーの着色材料を彩色するのに用いることができる顔料例である。一般的なシアンは、利用可能な代替物であり、特にグリーン類が、非常に鮮やかである必要はない。他の可能性がある顔料類には、ＰＢ１６  ＣＩＮ７４１００、ＰＢ２７  ＣＩＮ７７５１０及びＰＢ３３  ＣＩＮ７７１１２が含まれる。
【００３９】
５．グリーン−イエロー
グリーン−イエローは、イエロー、次いでグリーン、次いでオレンジの反射物であるので、当該グリーン−イエローカラーは、鮮やかなグリーン類及びくすんだオレンジ類を混合する場合に、重要な要素であることができる。本発明のシステムのグリーン−イエローの着色材料の作成用の顔料例として、耐光性を有し、かつ高いグリーン含量を有する半透明顔料、Ｐｉｇｍｅｎｔ  Ｙｅｌｌｏｗ  ３（ハンザイエロー）が挙げられる。可能性がある顔料類の他の例として、ＰＹ４  ＣＩＮ１１６６５、ＰＹ１４  ＣＩＮ２１０９５、ＰＹ３１  ＣＩＮ７７１０３及びＰＹ  ５３  ＣＩＮ７７７８８が含まれる。
【００４０】
６．オレンジ−イエロー
オレンジ−イエローは、イエロー、次いでオレンジ、次いでグリーンの反射物であるので、当該オレンジ−イエローカラーは、鮮やかなオレンジ類及びくすんだグリーン類を作成するのに有用であることができる。オレンジ−イエロー顔料類の例には、Ｐｉｇｍｅｎｔ  Ｙｅｌｌｏｗ  ３５（カドミウムイエローライト）が含まれ、透明ではないが、この場合にも、希釈して、透明性をシミュレートすることができる。当該顔料は、耐光性を有し、高いオレンジ含量を有する。可能性がある顔料類の他の例には、ＰＹ１：１  ＣＩＮ１１６８０、ＰＹ５５  ＣＩＮ２１０９６、ＰＹ８３  ＣＩＮ２１１０８及びＰＹ  ９５  ＣＩＮ２００３４が含まれる。
【００４１】
一般的に、個々のカラー群は、特定の波長範囲内の光を反射し、当該波長範囲は、次の表に要約される。
【００４２】
【表１】
2006518286.tif 000002
【００４３】
多くの要因によって、特定の例の中で用いられる実際の着色材料に影響が及ぶことがあり、そして上記列挙の特定な例は、具体的な説明の目的のみで与えられるものである。しかし、全ての場合において、この「カラータイプ」は、特定の顔料又は染料の選択物の決定において最も重要な要素であることができる。
【００４４】
本発明の印刷システムを用いて、一般的な「４カラープロセス印刷」から得られる可能性のある色彩の全てが、達成できる。しかし、さらに多くの改良点も見込まれる。特に、より鮮やかで、「よりクリーン」な広範囲のオレンジ類、並びにより鮮やかで、「より透明」な広範囲のバイオレット類（種々のピンク類、ラベンダー類及びパープル類を含む））、より鮮やかで、「よりクリーン」な広範囲のグリーン類及びより鮮やかで、「より透明」な「着色された広範囲のグレー類」を得ることができる。
【００４５】
さらに、本発明のシステムによって、特に良好な最終混合カラー群の予測可能性が、提供される。
本発明のシステムのカラー領域が広がった主な理由は、次の理由で生じたものと考えられる。
【００４６】
一般的な「４色プロセス」印刷では、オレンジ類は、マゼンタ及びイエローの組合せから作成される。マゼンタは、バイオレット（バイオレット−レッド）の方向に「傾いて」いるか、又は「偏って」いる。用いられるイエローは、オレンジの方にわずかに「偏った」イエロー（オレンジ−イエロー）と、グリーンの方向にわずかに「偏った」イエロー（グリーン−イエロー）との間で変化する。
用いられるイエローが、上述のグリーン−イエローである場合、混合オレンジは、くすみ、かつグレー化する。というのは、当該バイオレット−レッド及び当該グリーン−イエローは、オレンジの「キャリア性」に乏しいからである。言い換えれば、どちらも多量のオレンジを反射せず、したがって混合の減法混色が行われた後、多量のオレンジカラーが、後に残ることはできない。
【００４７】
用いられるイエローがオレンジ−イエローである場合、混合オレンジは、最良の中間強度の明度であることができる。これは、該バイオレット−レッドがオレンジの「キャリア性」に乏しく、当該オレンジ−イエローは、オレンジの「キャリア性」に優れているからである。したがって、減法混色が行われた後、該バイオレット−レッド系マゼンタは、後に多量のオレンジを残すことができない。一方、当該イエローは、多「量」のオレンジを残すことができる。しかし、少「量」と多「量」との組合せ物によって、中間強度のオレンジのみがもたらされる。単に当該イエローが、オレンジに対して大きく寄与をしているからといって、その色が、より鮮やかになることはない。
【００４８】
対照的に、本発明の６色システムを用いて、該同一範囲のくすんだ、グレー化オレンジ類、並びに上記で概略を述べた該中間強度のオレンジ類は、適切なカラータイプ（グリーン−イエロー又はオレンジ−イエローのいずれかを用いるバイオレット−レッド）を選択することによって、さらに得ることができる。しかし、当該バイオレット−レッドの代わりに、利用可能なオレンジ−レッドを用い、そして当該オレンジ−レッドを当該オレンジ−イエローと結合することによって、鮮やかなオレンジ類の範囲も、利用可能となる。これは、当該オレンジ−レッド及び当該オレンジ−イエローの両方が、「多量」のオレンジを反射するからである。混合の減法混色を行った後に残った「多量」の２種のオレンジによって、所要の明度を確保することができる。
【００４９】
さらに、４色プロセス印刷において、バイオレット類、ピンク類、ラベンダー類及びパープル類の範囲は、特にブルー末端の範囲において、厳しく制限される。マゼンタ、バイオレット−レッドは、バイオレットに良好に寄与するが、シアン、グリーン−ブルーは寄与せず、バイオレットのキャリア性に乏しい。任意の印刷の形態で、マゼンタ及びシアンが混合された場合、減法混色によって、バイオレット−レッド内では多「量」のバイオレットが後に残るが、グリーン−ブルーからは少「量」のみしか残らない。このように作成されたバイオレットは、せいぜい、中間強度として記述されるものばかりである。該バイオレット−レッド類は、該バイオレット−ブルー類よりも鮮やかである。というのはそれらが、レッド中の「エクストラ」バイオレットによって影響を受けるからである。しかし、当該ブルーバイオレット類は、この利益を有しない。
【００５０】
しかし、本発明の印刷システムを用いると、上記で概略を述べた中間強度のバイオレット類と同じ範囲が利用可能である。というのは同じカラータイプ類（該バイオレット−レッド及び該グリーン−ブルー）が、さらに利用可能であるからである。しかし、鮮やかなバイオレット類の範囲も、利用可能である。というのは、鮮やかなバイオレットの作成に不可欠な２色（バイオレット−レッド及びバイオレット−ブルー）が、現在は存在できるので、鮮やかとなることができるからである。当該バイオレット−レッド及び当該バイオレット−ブルーは、両者とも多くのバイオレットを反射する。減法混色を行った後に残る「多量」の２種のバイオレットによって、所要の明度を確保することができる。
【００５１】
同様の考慮によって、より鮮やかで、「よりクリーン」な広範囲のグリーン類を、本発明のシステムを用いて作成することができる。
４色プロセス由来の利用可能なグリーン類の範囲は、使用するイエローのタイプによって決まる。グリーン又はオレンジのいずれかの方向にも強く偏ることのない「ミッド」イエローが典型的である。そのようなイエローは、中間強度のグリーンばかり作成することになると思われる、というのは、そのようなイエローは、適度な「量」のグリーンのみのキャリアとなるからである。
【００５２】
オレンジの方に傾いたイエローを用いる場合、グリーン類は、強度の低いグリーン（くすんだかつグレー化）よりも鮮やかではないであろう。というのは、当該イエローは、減法混色の後、非常に少量のグリーンを後に残すことしかできないからである。
これらの要因に加えて、鮮やかなグリーンの作成に取りかかる場合、シアンは、理想的なグリーンブルーではない。それは、妥当な鮮やかなバイオレット類及びグリーン類を与えるために選択されるより一層の妥協の選択物である。
【００５３】
本発明のシステムにおいて、グリーン−ブルーインク（好ましくはグリーンの方に強く傾いたグリーン−ブルーインク）を用いる。Ｐｉｇｍｅｎｔ  Ｂｌｕｅ  １５（フタロシアニン）に基づくグリーン−ブルーは、選択肢の１つであろう。両イエロータイプとして、（グリーン−イエロー及びオレンジ−イエロー）が用いられ、イエローを有する、リッチグリーンの選択が、自動的になされる。該ブルー及び該イエローの両者とも、グリーンの方向に強く偏っている場合、非常に鮮やかで、非常に強いグリーン類が利用可能となる。
【００５４】
伝統的な印刷原色群である、マゼンタ、シアン及びイエローを、妥当な暗さを付与するために併用させることができるが、それは、３色全部を、一方を他方の上に印刷することを意味する。これらの成果に満足できない場合には、ブラックインクも用いることができる。ブラックを加えた該３原色は、一般的な４色プロセス印刷内で４色を作り上げる。
【００５５】
ブラックは、色を暗くするため、そして細部を加えるために用いられる。ブラックは、シャドー、ハーフトーン及びアウトラインを規定するためにも用いられる。ブラックが少なすぎると、コントラストが欠けることとなる。本質的に、アートワークを再現する場合、アートワーク内で全ての目的物の周りにブラックのビグネットを置くのが通常であり、したがって、このカラー工程を抑える又は停止するには、カラーの深さ（ｄｅｐｔｈ）を錯覚させることが必要とされる。
【００５６】
しかし、ブラックの「濁った」カラー群を用いることによって、写実的な色の深さを加えるために要求される明暗度のぼかしが制限され、そして明度が制限される。ブラックと他の３色との正確な均衡をとることは、非常に難しいということができる。印刷所の技師は、供給されている色校正に基づいて、目視で最終的な決定をするのが通常である。印字ヘッドのところでブラックインクの流れを制御することによって、最終的な印刷段階におけるブラック含有率を調整するのが一般的である。ブラックが多すぎると、全体的に非常にくすんだ、「重い（ｈｅａｖｙ）」色、シャドー類又は他の暗い領域内で細部が喪失する結果となり、そしてうすいグレー類が消失する。写真類の再現では、次元及び明度が喪失する。アートワーク、ペインティング類等は、利用可能な明暗度の範囲が制限された中で、「カラーの深さ」を喪失する。
【００５７】
一般的に、本発明のシステムは、カラー印刷に、ブラックを使用しない。しかし、補色のカラーを加えることによって、色を暗くすることができる。例えば、イエローは、バイオレットを暗くすることができ（そして逆もまた同様である）、グリーンは、レッドを暗くすることができ（そして逆もまた同様である）、そしてブルーは、オレンジを暗くすることができる（そして逆もまた同様である）。
【００５８】
本発明のシステムは、暗い色又はブラックに近い色を得るために、特に洗練された様式で、このアプローチを用いることが好適である。例えば、レッド−バイオレットを暗くするために、グリーン−イエローを用い（そして逆もまた同様である）、そしてブルーバイオレットを暗くするために、オレンジ−イエローを用いる（そして逆もまた同様である）。ブルー−グリーンは、オレンジ−レッドを暗くすることができ（そして逆もまた同様である）、そしてイエロー−グリーンは、バイオレット−レッドを暗くすることができる（そして逆もまた同様である）。レッド−オレンジを暗くするために、グリーン−ブルーを用いることができ（そして逆もまた同様である）、そしてイエロー−オレンジを深くするために、バイオレット−ブルーを用いる（そして逆もまた同様である）。
【００５９】
アプローチされたそれぞれのカラーペアーは、強度が等しいので、得られる色合いは、より暗くなることができる。
着色グレー類の広い範囲は、補色カラー群の有効な混合を介して、自動的に得ることができる。
【００６０】
中間色も、自動的に作成することができる。ブラックを用いずに得られる色は、さらに明るく見え、そして明暗度の広い範囲が、利用可能である。シフトした明暗度の広範囲に渡って、色の深さを減少させることができる「明るく」、「クリーン」な色の効用によって、美術品を含むアートワークの形態の再現の精度を増すことができる。
さらに、このプロセスからブラックを取り除くことによって、最終成果を予測することをさらに容易にすることができる。２種のブルー、２種のレッド及び２種のイエローを用いることによって、相当な範囲への予測可能性をも支援することができる。
【００６１】
従って、本発明のシステムの６色全てを用いることは、種々の広範な状況に特に有用である。ブラック又はブラックに近い色を、多くの状況下（ペインティングのタイトル等の数多くのアートワークに付随するおよそ限られた量のテキストを作成するため等）において、補色カラー群から混合することができる。
【００６２】
正確なカラー再現に関する限り、最も重要な領域の１つは、アートワーク、ペインティング類等の再現にある。「Ｇｉｃｌｅｅ」として知られ、専門の用紙にアートワークを再現する実践が、多くの企業及び個人に広まった。この種の作品に要求されるブラックテキストの量は、ペインティングの名称及び芸術家の名前に限られるのが通常である。そのような場合において、上述の本発明のシステムの６色の補色カラー群を用いて、このブラックを作成することができる。
【００６３】
しかし、本システムにブラックを含ませることが、非常に望ましい場合もある。例えば、カラー挿絵の入った書籍内に、多量のテキストが存在する場合等である。
【００６４】
本発明のシステムを適合させ、２様式のうちの１つの中でこの要件を考慮に入れることができる。まず第一に、カラー作品が、本システムの６色全部を必要としない場合、６色のうちの１色（必要としないカラー）を、テキストを印刷するためにブラックで置き換えることができる。特定の場合に、特定色が必要であるか否か、カラースキャンを用いて決定することができる。例えば、カラー作品が、鮮やかなオレンジ類の描写を必要としないため、当該スキャンが、オレンジ−イエローインクの使用の必要性を示さない場合、当該オレンジ−イエローインクを、該ブラックインクで置き換えることができる。
【００６５】
あるいは、６色全部が、特定作品の的確なカラー再現に必要とされる場合、該ブラックインクを、本システムへのさらなる要素として加えることができる。オフセット印刷又はデジタルプリンター類等内の大部分の６色プリンターの配置では、シングルパスは不可能である。というのは本発明のシステムを作る６色が、利用可能な印字ヘッド類、オフセット印刷の版類又はインク容器類（デジタルプリンター類の場合）を全て占領するからである。そのような場合には、別のプリンター上で適用されるブラックテキストを用いる初期印刷作業で、このカラー作品を印刷することができる。ブラックテキスト用のプリンターは、単に１色のプリンターであることができる。テキストに関する限り、通常は、見当合わせの絶対的精度は、不可欠なものではない。
【００６６】
ホワイトの着色材料（印刷インク等）の使用に関して、同様の考慮を適用する。任意の色合いにホワイトを添加する（インク又は顔料等として）場合、その色がくすむか、そうでない場合は透明なインク類又はペイント類がさらに不透明（ｏｐａｑｕｅ）になる。これらの特色によって、ほのかな色（カラーのより明るいバージョン）がもたらされる。これらは、ホワイトの背景を、薄めて適用するか又は透明なインク類若しくはペイント類を通して透けて見えさせることによって、より明るくさせたペイントやインクとは異なる。したがって、ホワイトの着色材料を、印刷可能な任意色より明るいバージョンを作成するために、本発明のシステム内に含ませることができる。
【００６７】
７色を供給するように、プリンターを改良することも可能である。この場合では、最大の順応性を付与するために、本発明のシステムの６色を、ブラックで補うことができる。そのようなプリンター類は新規であり、本発明のさらなる態様を形成することができる。
最終製品（書籍又は同等物）が、本発明の６色全て、並びにブラックテキスト及び印刷ワニス又は他の専門的な仕上げ（メタリックインク又は蛍光インクの適用等）を必要とする場合に、２種以上のカラープリンターが必要とされるであろう。
【００６８】
用いられる印刷システム類が、個々のかつ置き換え可能なインク類を備える場合、色のうち１色（必要でない場合）を、個別的にブラックに交換することができる。
【００６９】
しかし、ブラックが、カラーアートワークの再現に必要な場合がある。さらに、本発明のシステムを、カラーアートワークに適応させるように、たやすく変更することができる。上述のように、「ソフト」なブラック類は、本システム内に存在する補色カラー群の範囲を用いて利用できる。特に濃厚な（ｄｅｎｓｅ）ブラックが、広い範囲に渡って要求される場合、６色のうち１色（必要性が低い色）を、暗い中間調のオレンジ（Ｐｉｇｍｅｎｔ  Ｂｒｏｗｎ  ７，  Ｂｕｒｎｔ  Ｓｉｅｎｎａ等）に置き換えることができる。これは、図３で具体的に説明するように、バイオレット−ブルーと混合すると、濃厚な「深みのある（ｖｅｌｖｅｔｙ）」ブラックを作成するように、適当に偏っている。
【００７０】
暗いオレンジ（Ｂｕｒｎｔ  Ｓｉｅｎｎａ等）によって反射された波長が、図３ａに具体的に説明されており、そしてバイオレット−ブルー（ウルトラマリーンブルー等）によって反射される波長が、図３ｂに具体的に説明されている。混合（図３ｃ）すると、減法混色が生じ（図３ｄ）、ほとんど光を反射せず、そのようにして深いブラックが生じる。
【００７１】
あるいは、このアプローチから最大限に可能性のある領域において、例えば、オフセット印刷プロセスの７番目の印刷版上に、該暗いオレンジを、別に印刷することができる。しかし、そのような非常に暗いブラックが要求される機会は、多分、相対的に少ないと思われる。
【００７２】
印刷機を作動させるよう求められるソフトウェアを、一般的な方法を用いて難なく改良することができ、そして該ソフトウェアは、上記に示したようなバイアスホイールを考慮することに基づいている。同様に、原作品をデジタル印刷、印刷フィルム用にスキャンした場合、又は版からダイレクトに印刷する場合に要求される該ソフトウェアを、たやすく開発することができる。
上述のカラーシステムを組込む印刷装置類は、本発明のさらなる実施形態を形成する。
【００７３】
コンピュータプリンターの出現及びカラーコピー機類の進歩に伴って、オフセット印刷機を扱う企業は、それらの以前の市場のシェアを失いつつある。この不足分を補うための努力において、多くは、さらなる便宜（蛍光インク類、メタリックインク類、及び印刷ワニスの印刷類）を提供しつつある。該さらなる便宜とは、多くの経営者が６種の印字ヘッドを備える印刷機を設置していることを意味する。そのような装置類は、本発明のシステムに用いるのに好適である。それらの転換に対して要求されると思われる全てのものは、新しいソフトウェア及び種々の範囲の印刷インク類のみである。６種の印字ヘッドを備えるオフセット印刷機の組合せ物、上述のシステムに続く印刷インク類の組合せ物（該印刷機は、ターゲット色の範囲を作成するために該インク類を混合するようにプログラムされている）は、本発明のさらなる態様を形成する。
【００７４】
デジタル印刷（デスクトッププリンター等）の場合には、６色を供給できる装置が、すでに存在している。インクカートリッジ内に適正な範囲のインクを含ませるという条件で、本発明のシステムを利用するために、それらをプログラムすることができる。プリンターの中で用いるためのカートリッジと共に、そのようなプリンター類は、本発明のさらなる態様を形成する。色再現において、改良に対するニーズによって大きな競争がもたらされているので、このシステムに充分に適合する新しい装置類を、開発することができる。
【００７５】
本システムを、カラーコピー機類の使用に適合させることができる。本発明の印刷システムを組込むカラーコピー機用のトナーシステム（該トナーシステムを組込むカラーコピー機と共に）は、本発明のさらなる態様を形成する。
作品（印刷物中のアートワーク類等）を再現する場合、印刷フィルム、印刷版類及び類似物（オフセット印刷等）の調製時に含まれる現行技術を、本発明のシステムで用いるために適合させることができる。
【００７６】
例えば、初期イメージを記録する方法の１つは、デジタルカメラを用いてイメージを記録することである。これは、一般的に、色を記録するためのもっとも厳密な方法の１つであり、そして当該イメージを、本発明のシステムの６種の減法の色合いに転換することができる。
さらに、連続的なトーン写真から、「暖系」ドット及び「寒系」ドットに分離する方法が、何通りか存在する。
【００７７】
第一に、アートワークのレッド、イエロー及びブルーのハーフトーンドット群を分離するために、フィルター類及びハーフトーンスクリーン又は確率論的（ｓｔｏｃｈａｓｔｉｃ）ハーフトーンスクリーンを介して、連続的にトーン写真を撮影することができる。確率論的スクリーンの使用は、通常のハーフトーンスクリーンよりも優れた優位性を有する。細部表現はクリーンかつクリアーであり、そして干渉又はモアレがない。コントラストは、非常に明確である。というのは、このハーフトーン類のドット群は、部分的に重なり合うことはなく、そして接触することがないからである。これによって、より細かな細部、より滑らかなぼかし、さらなる明暗度が作成され、そしてパターン類は、スクリーンアングル類やドット群を集めることによっては作成されない。確率論的スクリーンを用いると、明るい範囲及び暗い範囲は、ドット相互間の距離を変えることによって達成される。どちらかのスクリーンを用いても、シャドー類の値の範囲は、主要な照射、次いでフラッシュ照射を用いることによって、中間調へ４９％も拡張させることができるか、又はスクリーン（バンプ）光を用いずに、ハイライトのドットを中間調へ５０％まで下げることができる。見当を合わせた２種のネガを、同一の基本色（レッド、イエロー又はブルー）の「暖系」種及び「寒系」種のために、用いることができる。
【００７８】
別の方法は、平台型スキャナー、ドラムスキャナー又は類似物を用いて、コンピュータ内にイメージをスキャンすることである。アドビフォトショップ(登録商標)等のプログラムを、このプロセスに用いることができる。
アドビフォトショップ(登録商標)では、ピクセルの形をしたイメージ群（又はサンプルポイント類）を、電子的にデジタル化した情報に転換する。それぞれのサンプルポイント上で、６色全てを取り上げ、そして２５６のグレー水準の１つを割り当てる。必要ならば、シングルピクセルに調整することも可能である。
【００７９】
該コンピュータは、ピクセルの形のデータを取り上げ、そしてピクセル群を１５０のライン（ハーフトーンスクリーン）を用いて、ハーフトーンドットに転換する。ドット群に比べて、４倍以上のピクセル群がある。該ピクセルの情報によって、ドット群の形状及びサイズを決定することができる。該プログラムは、レイヤーパレット、次いでカーブダイアログボックス又はコマンドボックスの変形を経由して、「暖系」色及び「寒系」色の分離を可能にする。次いで、それぞれの６種のネガに対して、該ドットのパーセンテージを規定することができる。それぞれの「暖系」色及び「寒系」色に対する該ドットのパーセンテージの選択の後、該ネガ類を６種の印刷版上に焼き付ける。
【００８０】
画像を６種のネガに分離するためのフィルター及びハーフトーンスクリーンを用いることによって、本発明のシステムを用いる印刷版を作成するプロセスを開始することができる。１つのネガを、それぞれの６種のカラータイプ（２種のレッド、２種のブルー、２種のイエロー）に対して作成する。プロセスカメラ、スキャナー及び／又はコンピュータは、当該６種のカラータイプを選別する。ハーフトーンスクリーンは、連続的なトーン複写の写真製版法の再現であり、クロスライン化スクリーンを介した撮影によって作成される小ドット群の密度及び相対的なサイズによって、トーンのぼかしを得るものである。これらの「暖系」色（オレンジ−イエロー、オレンジ−レッド及びバイオレット−ブルー）は、５０％〜９９％の再現ドット群を有することができ、そして「寒系」色（グリーン−イエロー、バイオレット−レッド及びグリーン−ブルー）は、１％〜４９％のドット群を有することができる。最も明るい「寒系」色は、最も暗い「暖系」色ほどの明るさはない。
【００８１】
撮影又はスキャンされた画像によって反射されるそれぞれの色に対して、該ドットのパーセンテージが異なる。次いで、該スクリーンを、両ブルー類に関して４５度、両レッド類に関して７５度、両イエロー類に関して１０５度回転させる。これは、モアレ作用の原因となりうるドットトップにおいて、部分的に重なり合うことがないことを確保するためである。ハーフトーンスクリーンを用いて、ドットイメージ群を、それぞれの色に関して、６種の印刷版上に焼き付ける。
【００８２】
要約すると、本発明のシステムは、広範囲に適用可能な印刷システムを提供するものであり、一般的なカラー印刷で利用可能な領域よりも、より広範囲の色領域にわたって、良好な色再現を可能にするものである。当該システムは、特別に混合された単一の用途しか存在しない色合いを用いることを要求しない。
該システムは、印刷に関してと、適切なスキャニング内との両方で専門のソフトウェアを用いることが必要であるが、以前から存在するプリンター類を含む全てのタイプのプリンター類、好適なインクの選択物を利用することができる。
【図面の簡単な説明】
【００８３】
（原文記載なし）
【図１Ａ】
2006518286.tif 000003
【図１Ｂ】
2006518286.tif 000004
【図１Ｃ】
2006518286.tif 000005
【図１Ｄ】
2006518286.tif 000006
【図１Ｅ】
2006518286.tif 000007
【図１Ｆ】
2006518286.tif 000008
【図２】
2006518286.tif 000009
【図３】
2006518286.tif 000010
【国際調査報告】
2006518286.tif 000011
2006518286.tif 000012
2006518286.tif 000013